(57)【特許請求の範囲】
【請求項１】
伝送速度と一致する繰り返し周波数の偏波変調信号に従って信号光の偏波状態をスクランブルする同期偏波スクランブラを用いて同期偏波スクランブルされた信号光を光伝送手段を介して受信処理する光受信装置であって、
光電変換前の信号光および光電変換後の電気信号の少なくとも一方について、同期偏波スクランブルを行なったことに基づく雑音を発生させる周波数成分のみを低減させる雑音低減部を備えたことを特徴とする光受信装置。
【請求項２】
前記雑音低減部は、光電変換後の電気信号について、前記繰り返し周波数を中心とした阻止帯域幅を有する帯域阻止フィルタを含み、前記阻止帯域幅内の周波数成分のみを遮断することを特徴とする請求項１記載の光受信装置。
【請求項３】
前記帯域阻止フィルタは、前記阻止帯域幅内の雑音成分の減衰量が３ｄＢ以上であることを特徴とする請求項２記載の光受信装置。
【請求項４】
前記帯域阻止フィルタは、前記阻止帯域幅が１００Ｈｚ以上であることを特徴とする請求項２または３記載の光受信装置。
【請求項５】
前記帯域阻止フィルタは、受信処理に必要な帯域幅内における群遅延量が伝送速度から与えられる１ビットの周期の１０％以下であることを特徴とする請求項２〜４のいずれか１つに記載の光受信装置。
【請求項６】
前記雑音低減部は、光電変換後の電気信号について、前記繰り返し周波数以上の雑音成分を遮断する低域通過フィルタを含むことを特徴とする請求項１記載の光受信装置。
【請求項７】
前記低域通過フィルタは、前記繰り返し周波数以上の雑音成分の減衰量が３ｄＢ以上であることを特徴とする請求項６記載の光受信装置。
【請求項８】
前記低域通過フィルタは、受信処理に必要な帯域幅内における群遅延量が伝送速度から与えられる１ビットの周期の１０％以下であることを特徴とする請求項６または７記載の光受信装置。
【請求項９】
前記雑音低減部は、光電変換前の信号光について、前記繰り返し周波数の影響を受けた雑音成分を遮断可能な狭いバンド幅をもつ光低減フィルタを含むことを特徴とする請求項１〜８のいずれか１つに記載の光受信装置。
【請求項１０】
前記光低減フィルタは、前記信号光の周波数に応じた中心周波数で前記繰り返し周波数の２倍よりも狭いバンド幅をもつことを特徴とする請求項９記載の光受信装置。
【請求項１１】
前記雑音低減部は、前記光低減フィルタのバンド幅の中心周波数を前記信号光の周波数に追従させる光低減フィルタ制御部を含むことを特徴とする請求項９または１０記載の光受信装置。
【請求項１２】
前記雑音低減部の前段に、前記繰り返し周波数成分の信号を抽出する信号抽出部を含み、前記光伝送手段の偏波依存状態を監視する監視信号として前記信号抽出部で抽出された信号を出力する構成としたことを特徴とする請求項１〜１１のいずれか１つに記載の光受信装置。
【請求項１３】
前記信号抽出部は、前記雑音低減部で遮断され反射された雑音成分を抽出するサーキュレータを含むことを特徴とする請求項１２記載の光受信装置。
【請求項１４】
前記信号抽出部は、前記雑音低減部への入力信号の一部を分岐する分岐部と、該分岐部で分岐された信号のうちの前記繰り返し周波数およびその近傍成分のみを通過する帯域通過フィルタと、を含むことを特徴とする請求項１２記載の光受信装置。
【請求項１５】
前記信号抽出部で抽出された信号を用いて、受信処理のためのクロック信号を生成するクロック生成部を含むことを特徴とする請求項１２〜１４のいずれか１つに記載の光受信装置。
【請求項１６】
伝送速度と一致する繰り返し周波数の偏波変調信号に従って信号光の偏波状態をスクランブルする同期偏波スクランブラを含み、同期偏波スクランブルされた信号光を光伝送手段に送信する光送信手段と、該光送信手段から前記光伝送手段を介して伝送された前記信号光を受信処理する光受信手段と、を含んで構成される光通信システムであって、
前記光受信手段が、光電変換前の信号光および光電変換後の電気信号の少なくとも一方について、同期偏波スクランブルを行なったことに基づく雑音を発生させる周波数成分のみを低減させる雑音低減部を備えたことを特徴とする同期偏波スクランブラを用いた光通信システム。
【請求項１７】
前記光送信手段が、前記光伝送手段の状態を示す監視制御信号を前記偏波変調信号に重畳する監視制御信号重畳部を含み、
前記光受信手段が、前記雑音低減部の前段で前記繰り返し周波数成分の信号を抽出する信号抽出部と、該信号抽出部で抽出された信号を基に前記監視制御信号を復調する監視制御信号復調部と、を含んで構成されることを特徴とする請求項１６記載の同期偏波スクランブラを用いた光通信システム。
【発明の詳細な説明】
【０００１】
【発明の属する技術分野】
本発明は、信号光の伝送速度と一致する繰り返し周波数の偏波変調信号に従って信号光の偏波状態をスクランブルする同期偏波スクランブラを用いた光通信システム及び光受信装置に関する。
【０００２】
【従来の技術】
従来、数千キロメートルに及ぶ大洋を横断する長距離の光伝送システムでは、光信号を電気信号に変換し、タイミング再生(retiming)、波形等化(reshaping) 及識別再生(regenerating)を行う光再生中継器を用いて伝送を行っていた。しかし、現在では、光増幅器の実用化が進み、光増幅器を線形中継器として用いる光増幅中継伝送方式が検討されている。光再生中継器を光増幅中継器に置き換えることにより、中継器内の部品点数を大幅に削減し、信頼性を確保するとともに大幅なコストダウンが見込まれる。
【０００３】
1993年にM.G Taylorは、光中継増幅器にて発生する雑音光が信号光の偏波状態に依存し、余分雑音光が増大する現象（偏波ホールバーニング、polarization  hole burning）を指摘した。偏波ホールバーニングにより、信号光対雑音光の比（光ＳＮＲ）の平均値が低下すると同時に光ＳＮＲの揺らぎが増大するために、光増幅中継伝送を行う上で大きな問題になった。
【０００４】
この対策として、例えば、送信側において信号光の偏波状態を積極的に可変する偏波スクランブル（polarization scrambling)が提案された。図２１は、従来の偏波スクランブラを用いた光通信システムの概略構成を示す。
図２１の従来システムは、偏波スクランブルされた信号光を伝送系２００に送出する光送信機１００と、伝送系２００からの信号光を受信して識別等の処理を行なう光受信機３００とを備える。光送信機１００では、伝送データに従って変調された所定の伝送速度の信号光が信号光発生器（Ｅ／Ｏ）１０１から出射され、その信号光が、偏波スクランブラ（ＰＳ）１０２で偏波変調信号に従って偏波スクランブルされ伝送系２００に出力される。偏波スクランブルを行う方法としては、例えば、位相変調器を用いた方法、光ファイバの側面から応力を与える方法、２つの光源を用いた方法などがある。光受信機３００では、伝送系２００からの信号光が受光器（Ｏ／Ｅ）３０１で電気信号に変換されて、識別回路（ＤＥＣ）３０２で識別処理される。
【０００５】
例えば、1994年にF.Heismannらは、伝送速度5.33Gb/s，伝送距離8100kmの実験において、45度入力偏波状態指定のニオブ酸リチウム（LiNbO3）の位相変調器を用いた偏波スクランブラにより、偏波状態の繰り返し周波数が、40kHz において４dBのＱ値改善、10.66GHzにおいて５dBのＱ値改善を達成している。前者の繰り返し周波数は伝送速度よりも低く、低速偏波スクランブルと呼ばれ、後者は伝送速度以上なので高速偏波スクランブルと呼ばれている。高速偏波スクランブルは、光伝送路および光増幅中継器の偏光依存性損失による光ＳＮＲの揺らぎを抑圧する効果があるために、その改善量が大きい。
【０００６】
ここで、位相変調器を用いた偏波スクランブラについて簡単に説明する。位相変調器で発生するＴＭモードおよびＴＥモードの光の位相差Δφ(t) は、次のような式で表すことができる。
Δφ(t) ＝π／λ[(ｎe3γ33−ｎo3γ13) Ｖ(t) ＬΓ]
ただし、λは光波長、γ33，γ13はＴＭモード、ＴＥモードの電気光学定数、ｎe ，ｎo はＴＭモード、ＴＥモードの光屈折率、Ｖ(t) は印加電圧、Ｌは電極長、Γは印加電圧低減係数である。このＴＭモードおよびＴＥモードの光の位相差Δφ(t) を用いることで、位相変調器を使用した偏波スクランブラは信号光の偏波状態を変化させることができる。
【０００７】
また、光伝送システムの大容量化を実現する方法の１つとして、単一の光伝送路に２つ以上の異なる波長を持つ光信号を多重して伝送する波長多重（ＷＤＭ）光伝送方式が注目されている。
このＷＤＭ光伝送方式と上記の光増幅中継伝送方式を組み合わせたＷＤＭ光増幅中継伝送方式においては、光増幅器を用いて２つ以上の異なる波長を持つ光信号を一括して増幅することが可能であり、簡素な構成（経済的）で、大容量かつ長距離伝送が実現可能である。
【０００８】
ＷＤＭ光増幅中継伝送方式においては、光伝送路の非線形効果による伝送特性劣化を低減することが重要である。例えば、非線形効果の一つである４光波混合（four-wave mixing；以下ＦＷＭとする) は、いくつかの信号光の偏波状態が一致する場合にその発生効率が最大になる。したがって、例えば、高速偏波スクランブルを行なうことで、いくつかの信号光の偏波状態の一致が積極的に持続できないように設定できるため、４光波混合の発生を低減させることが可能である。
【０００９】
一例として、1996年に本発明者らは、４波長多重、伝送速度5.33Gb/s、伝送距離4800kmの実験において、偏波状態の繰り返し周波数が伝送速度の２倍の高速偏波スクランブルを行なうことで、４光波混合発生率が低減して伝送特性の改善が図られることを確認している。なお、偏波スクランブルを行なったＷＤＭ伝送方式については、例えば、本出願人の先願である特開平９−１４９００６号公報等に詳細に記載されている。
【００１０】
また、ＷＤＭ光増幅中継伝送方式における他の重要な課題の一つに、チャネル間隔の低減、即ち波長多重数の増大がある。しかし、高速偏波スクランブルをかけた信号光はスペクトルが拡がってしまうために、波長多重の高密度化を実現する上での障害になる。
そこで、1995年にN.S Bergano らは、信号光のスペクトル拡がりの比較的小さい、繰り返し周波数が伝送速度の偏波スクランブルを提案している。ここでは、このような偏波スクランブルを同期偏波スクランブルと呼ぶことにする。ただし、この提案では、伝送特性を改善させるために信号の強度変調と偏波スクランブルとを同期させる構成を必要とする。
【００１１】
この同期偏波スクランブルを行なう光送信機としては、例えば、図２２に示すように、連続光を発生する光源（ＬＤ）１０１Ａと、光源１０１Ａからの光を強度変調する強度変調器（ＩＭ）１０１Ｂと、強度変調器１０１Ｂを駆動する第１駆動回路（ＤＲＶ）１０１Ｃと、入力信号ＩＮを発振信号に同期させて第１駆動回路１０１Ｃに送る波形整形回路１０１Ｄと、強度変調器１０１Ｂからの信号光を偏波スクランブルする偏波スクランブラ（ＰＳ）１０２Ａと、偏波スクランブラ１０２Ａを駆動する第２駆動回路（ＤＲＶ）１０２Ｂと、発振信号を遅延させた偏波変調信号を第２駆動回路１０２Ｂに送る遅延回路１０２Ｃと、から構成されるものなどがある。
【００１２】
上述したような偏波スクランブルに関する技術は、その繰り返し周波数に応じて、低速偏波スクランブル、同期偏波スクランブルおよび高速偏波スクランブルの３つに大別できる。ここで、それぞれの偏波スクランブルを行なう場合および偏波スクランブルを行なわない場合について、その特徴を比較検討した結果を次の表１に示す。
【００１３】
【表１】
0003939003.tif 000002
【００１４】
表１において、Ｂｒは伝送速度に用いる発振周波数、ＰＤＧは偏光依存性利得（polarization dependence gain）、ＰＤＬは偏光依存性損失（polarization  dependence loss ）を表すものである。
大容量・長距離伝送システム実用化への重要な要求項目の一つは、中継間隔の延長による光増幅中継器の削減である。そのためにはＦＷＭ発生効率の低減を図り、光増幅中継器を高出力化する必要がある。ＦＷＭ発生効率の低減方法としては、表１に示すように同期偏波スクランブルまたは高速偏波スクランブルが有効である。また、同期または高速偏波スクランブルは、表１の項目にはないが、低速偏波スクランブルを行なった場合よりも約３dBの高出力化が可能でもある。
【００１５】
高速偏波スクランブルについては、伝送速度が例えば2.5Gb/s 程度の場合に特に有効である。しかし、伝送速度が約５Gb/s以上の高速になると、その信号光のスペクトル拡がりが無視できなくなるため、波長分散トレランスが小さくなる。また、チャネル間隔も広くとる必要がある。一方、同期偏波スクランブルについては、信号光のスペクトル拡がりが高速偏波スクランブルの場合の約半分であるため、波長分散トレランスおよびチャネル間隔の要求を緩和できる。
【００１６】
したがって、伝送速度が５Gb/s以上といった高速光通信システムには、同期偏波スクランブルがより有効である。
【００１７】
【発明が解決しようとする課題】
しかしながら、同期偏波スクランブラを用いた高速光通信システムでは、伝送速度と一致する繰り返し周波数（以下、偏波ＣＬＫ周波数とする）の変調信号を用いて偏波変調した信号光が光伝送路を伝送されると、その偏波変調に起因する位相変調成分によりカー効果に基づいた強度変調が発生し、伝送後の波形の発光側に偏波ＣＬＫ周波数が重畳される。また、光伝送路や光増幅中継器等の偏光依存性損失（ＰＤＬ）により、偏波変調成分が強度雑音に変換されてＱ値揺らぎを増大させる可能性もある。
【００１８】
例えば、伝送速度5.3Gb/s 、８波長多重、伝送距離2679kmの条件下で行なった伝送実験の結果を図２３〜図２５に示す。図２３(a)(b)は、光送信機から送信された信号光（同期偏波スクランブルされた伝送前の信号光）の等化波形および電気スペクトルを示し、図２４(a)(b)は、光受信機で受信された信号光（伝送後の信号光）の等化波形および電気スペクトルを示す。また、図２５(a)(b)は、受信信号を等化フィルタに通した後の等化波形および電気スペクトルを示す。
【００１９】
まず、伝送前後の変化について、図２３(a) の伝送前の等化波形は略上下対称であるが、図２４(a) の伝送後の等化波形は発光側（図で上側）に偏波ＣＬＫ周波数成分が重畳され、上下非対称になることがわかる。また、図２３(b) および図２４(b) の各電気スペクトルでは、伝送前後における偏波ＣＬＫ周波数ｆｏ成分のパワーが約16dB（約40倍）に増大していることがわかる。
【００２０】
伝送前後における信号光の変化は、上述したように位相変調によるカー効果に基づくものと、偏光依存性損失により発生するものとが考えられる。前者については、位相変調と強度変調との相関が強いため、伝送データの状態と偏波（位相）変調の状態とを一致させれば、図２４(a) のような開口部分の大きい波形を得ることは可能である。しかし、後者については、光伝送路の状態に依存して発生するため、その発生を制御することは難しい。
【００２１】
さらに、偏波ＣＬＫ周波数ｆｏの近傍のスペクトル成分は、光伝送路の偏波揺らぎ（主な周波数成分は約50Hz以下）によって偏波ＣＬＫ周波数ｆｏに僅かに変調がかかるため、偏波ＣＬＫ周波数ｆｏ±50Hzの範囲となる。このため図２４(b) の偏波ＣＬＫ周波数ｆｏのピークは約100Hz 程度の幅を有している。なお、図２３(b) および図２４(b) で右側のピークは、偏波ＣＬＫ周波数の２倍の高調波成分である。
【００２２】
このように同期偏波スクランブルさせた信号光を伝送すると、偏波変調の影響を受けた信号光が光受信機で受光される。そして、光受信機は、受光した信号光を電気信号に変換し、等化フィルタを通して必要な周波数成分のみを抽出して識別等の処理を行なう。一般に、光受信機に用いる等化フィルタは、群遅延特性に優れたベッセル型フィルタ等が用いられ、その遮断周波数は、ＮＲＺ符号等を用いるとき伝送速度の0.6 〜0.8 倍程度に設定される。このような等化フィルタでは、同期偏波スクランブルを行なった場合、伝送速度の周波数成分、即ち、偏波ＣＬＫ周波数ｆｏ成分を十分に遮断することができない。
【００２３】
上記の伝送実験において、例えば、伝送速度5.3Gb/s に対して4.0GHzの遮断周波数を持つ等化フィルタを用いた場合には、図２５(a)(b)に示すように、等化波形は上下非対称のままであり、偏波ＣＬＫ周波数ｆｏ成分の減衰量は等化フィルタ通過前に対して約６dBに過ぎないことがわかる。
このような信号が識別回路に送られると、偏波ＣＬＫ周波数ｆｏ成分の影響により受信特性が劣化する可能性があり問題である。
【００２４】
本発明は上記問題点に着目してなされたもので、同期偏波スクランブルさせた信号光を伝送するときに発生する雑音成分を低減させることのできる光通信システム及び光受信装置を提供することを目的とする。
なお、低速偏波スクランブルを対象にした不要成分を抑圧する技術は、本出願人の先願である特開平９−８７４２号公報等で提案されているが、本発明は同期偏波スクランブルを対象とするとともにその構成も異なるものである。
【００２５】
【課題を解決するための手段】
このため本発明の光受信装置は、伝送速度と一致する繰り返し周波数の偏波変調信号に従って信号光の偏波状態をスクランブルする同期偏波スクランブラを用いて同期偏波スクランブルされた信号光を光伝送手段を介して受信処理する光受信装置であって、光電変換前の信号光および光電変換後の電気信号の少なくとも一方について、同期偏波スクランブルを行なったことに基づく雑音を発生させる周波数成分のみを低減させる雑音低減部を備えて構成される。
【００２６】
かかる構成によれば、同期偏波スクランブルされた信号光が光伝送手段を介して光受信装置に伝送される際に、同期偏波スクランブルされた信号光が光伝送手段を伝送されることで偏波変調に起因した雑音が発生する。光受信装置は、このような雑音成分を含んだ信号光を受信するが、受信した信号光または光電変換した電気信号を雑音低減部に介すことで、上記雑音を発生させる周波数成分のみが低減される。このように、雑音を低減した信号を用いて受信処理を行なうことで良好な受信特性が得られるようになる。
【００２７】
受信信号に含まれる雑音成分を電気信号の段階で低減させる雑音低減部の１つの具体例としては、前記繰り返し周波数を中心とした阻止帯域幅を有する帯域阻止フィルタを用いてもよい。この帯域阻止フィルタは、前記阻止帯域幅内の雑音成分の減衰量が３ｄＢ以上であることが望ましく、また、阻止帯域幅が１００Ｈｚ以上であることが好ましい。さらに、受信処理に必要な帯域幅内における群遅延量が伝送速度から与えられる１ビットの周期の１０％以下であることが望ましい。
【００２８】
また、雑音成分を電気信号の段階で低減させる雑音低減部の他の具体例としては、前記繰り返し周波数以上の雑音成分を遮断する低域通過フィルタを用いてもよい。この低域通過フィルタは、前記繰り返し周波数以上の雑音成分の減衰量が３ｄＢ以上であることが望ましく、また、受信処理に必要な帯域幅内における群遅延量が伝送速度から与えられる１ビットの周期の１０％以下であることが好ましい。
【００２９】
一方、受信信号に含まれる雑音成分を光信号の段階で低減させるようにした雑音低減部の具体例としては、前記繰り返し周波数の影響を受けた雑音成分を遮断可能な狭いバンド幅をもつ光低減フィルタを用いてもよい。この光低減フィルタは、前記信号光の周波数に応じた中心周波数で前記繰り返し周波数の２倍よりも狭いバンド幅をもつことが望ましい。
【００３０】
上記のようにして雑音低減部を構成することで、受信した信号光またはその信号光を光電変換した電気信号に含まれる雑音成分を確実に低減することができる。もちろん、雑音低減部が、信号光および光電変換された電気信号の両方について雑音成分を低減させる構成も可能である。
また、光低減フィルタを用いた雑音低減部では、光低減フィルタのバンド幅の中心周波数を前記信号光の周波数に追従させる光低減フィルタ制御部を含むようにしてもよい。
【００３１】
光低減フィルタ制御部を設けることで、信号光の周波数が変動しても光低減フィルタのバンド幅の中心周波数がその変動に追従するようになるため、狭いバンド幅の光低減フィルタであっても確実に雑音成分を遮断できるようになる。
上述した光受信装置は、前記雑音低減部の前段に、前記繰り返し周波数成分の信号を抽出する信号抽出部を含み、前記光伝送手段の偏波依存状態を監視する監視信号として前記信号抽出部で抽出された信号を出力する構成としてもよい。信号抽出部としては、前記雑音低減部で遮断され反射された雑音成分を抽出するサーキュレータを用いることもできる。また、信号抽出部は、前記雑音低減部への入力信号の一部を分岐する分岐部と、該分岐部で分岐された信号のうちの前記繰り返し周波数およびその近傍成分のみを通過する帯域通過フィルタと、を含むようにすることもできる。
【００３２】
かかる構成によれば、受信信号に含まれる繰り返し周波数成分の信号が信号抽出部よって抽出されるようになる。この繰り返し周波数成分の信号は、光伝送手段の偏波依存状態を反映した信号である。このため、抽出した信号を監視信号とし、その監視信号を、例えば、時間領域や周波数領域において分析等をすることによって、光伝送手段の偏波依存状態の監視が可能となる。
【００３３】
また、上記信号抽出部を含む光受信装置については、信号抽出部で抽出された信号を用いて、受信処理のためのクロック信号を生成するクロック生成部を含むようにしてもよい。
信号抽出部で抽出される信号は、伝送速度と一致する繰り返し周波数をもつため、受信処理の際に用いるクロック信号として利用できる。上記のようにクロック生成部を設けて、抽出した信号からクロック信号を生成すれば、これまでデータ信号をタイミング再生することで得ていた受信処理用のクロック信号を容易に得ることができるようになる。
【００３４】
本発明の同期偏波スクランブラを用いた光通信システムは、伝送速度と一致する繰り返し周波数の偏波変調信号に従って信号光の偏波状態をスクランブルする同期偏波スクランブラを含み、同期偏波スクランブルされた信号光を光伝送手段に送信する光送信手段と、該光送信手段から前記光伝送手段を介して伝送された前記信号光を受信処理する光受信手段と、を含んで構成される光通信システムであって、前記光受信手段が、光電変換前の信号光および光電変換後の電気信号の少なくとも一方について、同期偏波スクランブルを行なったことに基づく雑音を発生させる周波数成分のみを低減させる雑音低減部を備えたものである。
【００３５】
かかる構成によれば、同期偏波スクランブルされた信号光が光送信手段から光伝送手段を介して光受信手段に伝送される。この際、同期偏波スクランブルされた信号光が光伝送手段を伝送されることで偏波変調に起因した雑音が発生する。光受信手段は、このような雑音成分を含んだ信号光を受信するが、受信した信号光または光電変換した電気信号を雑音低減部に介すことで、上記雑音を発生させる周波数成分のみが低減される。このように、雑音を低減した信号を用いて受信処理を行なうことで良好な受信特性が得られるようになる。
【００３６】
また、上記光通信システムについて、前記光送信手段が、前記光伝送手段の状態を示す監視制御信号を前記偏波変調信号に重畳する監視制御信号重畳部を含み、前記光受信手段が、前記雑音低減部の前段で前記繰り返し周波数成分の信号を抽出する信号抽出部と、該信号抽出部で抽出された信号を基に前記監視制御信号を復調する監視制御信号復調部と、を含んで構成されるようにしてもよい。
【００３７】
かかる構成によれば、監視制御信号が重畳された偏波変調信号により同期偏波スクランブルされた信号光が光伝送手段を介して光受信手段に伝送され、光受信手段の信号抽出部で繰り返し周波数成分の信号が取り出される。この繰り返し周波数成分の信号は、偏波変調信号と同様に監視制御信号が重畳された信号となるので、監視制御信号復調部で監視制御信号を復調することにより、光送信手段と光受信手段との間で監視制御信号の伝達が可能となる。
【００３８】
【発明の実施の形態】
以下、本発明の実施の形態を図面に基づいて説明する。
図１は、第１の実施形態の同期偏波スクランブラを用いた光通信システムの構成を示すブロック図である。
図１において、本光通信システムは、同期偏波スクランブルされた信号光を送出する光送信手段としての光送信機１と、光送信機１からの信号光を伝送する光伝送手段としての伝送系２と、伝送系２からの信号光を受信して識別等の処理を行なう光受信装置または光受信手段としての光受信機３1 と、を備えて構成される。
【００３９】
光送信機１は、従来の構成と同様に、例えば、信号光発生器（Ｅ／Ｏ）１１および偏波スクランブラ（ＰＳ）１２を含んで構成される。信号光発生器１１は、外部から印加される伝送データＩＮに従って変調された信号光を出射する。偏波スクランブラ１２は、信号光発生器１１からの信号光の伝送速度と同じ繰り返し周波数（偏波ＣＬＫ周波数ｆｏ）の変調信号に従って前記信号光を位相変調することにより、伝送系２へ送出する信号光を同期偏波スクランブルさせる。なお、この光送信機１の具体的な構成については、上述の図２２に示したような信号光の強度変調と偏波スクランブルとを同期させるものが適用できる。
【００４０】
伝送系２は、例えば、ｍ個の光伝送路２１1 〜２１m と、各光伝送路２１1 〜２１m の間に挿入された光増幅器２２1 〜２２m-1 とから構成される。光伝送路２１1 は、その一端が光送信機１の出力端子に接続され、他端が光増幅器２２1 の入力端子に接続される。光増幅器２２1 の出力端子には、光伝送路２１2 の一端が接続される。以降同様にして、各光伝送路が光増幅器をそれぞれ介して順次接続され、光伝送路２１m の終端が光受信機３1 の入力端子に接続される。なお、ここでは伝送系２の構成を光増幅中継方式としたが、これに限らず光伝送路のみで構成しても構わない。
【００４１】
光受信機３1 は、従来の構成と同様な、受光器（Ｏ／Ｅ）３１、増幅器３２、等化フィルタ（ＥＱ）３３および識別回路（ＤＥＣ）３４に加えて、例えば、増幅器３２と等化フィルタ３３の間に帯域阻止フィルタ（ＢＲＦ；band reject filter）３５を備えて構成される。受光器３１は、光伝送路２１m から送られる信号光を受光して電気信号に変換するフォトダイオード等が用いられる。増幅器３２は、受光器３１で変換された電気信号を所要のレベルまで増幅する十分な帯域を備えた電気増幅器である。
【００４２】
帯域阻止フィルタ３５は、増幅器３２で増幅された信号に含まれる、偏波ＣＬＫ周波数ｆｏおよびその近傍の成分のみを除去する電気フィルタである。
図２に、帯域阻止フィルタ３５の透過（反射）特性の一例を示す。また、図３には、帯域阻止フィルタ３５の遅延特性の一例を示す。
図２に示すように、帯域阻止フィルタ３５は、偏波ＣＬＫ周波数ｆｏを中心とする阻止帯域幅の周波数成分のみを遮断し、上記以外の周波数成分を透過する特性をもつ。阻止帯域幅は、上述したように受信信号に含まれる偏波ＣＬＫ周波数ｆｏ近傍のスペクトル成分がｆｏ±50Hzの範囲にあるため（光伝送路の偏波揺らぎにより偏波ＣＬＫ周波数ｆｏが変調されることによる）、約１００Hz以上に設定することが好ましい。このように設定することで、上記範囲の信号を確実に遮断できる。また、遮断する周波数成分の減衰量は、偏波ＣＬＫ周波数ｆｏ成分を受信特性に影響を与えないレベルまで低減させるため、約３dB以上とするのが望ましい。さらに、帯域阻止フィルタ３５は、遅延特性に優れていることが必要である。例えば、図３に示すように、ＤＣから周波数ｆｏの0.8 倍（伝送データを識別するのに必要な周波数帯域）の範囲において、最大遅延時間差（群遅延量）が伝送速度から与えられる１ビットの周期の約１０％以下の遅延特性をもつ帯域阻止フィルタ３５を使用するのが好ましい。
【００４３】
等化フィルタ３３は、帯域阻止フィルタ３５を通過した信号から、伝送データを識別するのに必要な周波数成分を抽出するための電気フィルタである。ここでは等化フィルタ３３として、例えばベッセル型フィルタ等を用い、その遮断周波数を伝送速度の0.6 〜0.8 倍程度に設定する。識別回路３４は、等化フィルタ３３を通過した信号を基にクロック信号を再生し、そのクロック信号に従って受信信号のデータ識別処理を行ない、その結果を端子ＯＵＴに出力する。
【００４４】
次に、第１の実施形態の動作について説明する。
まず、光送信機１では、伝送データＩＮに従って変調された信号光が、信号光発生器１１から偏波スクランブラ１２に送られて同期偏波スクランブルされた後に伝送系２に送信される。この光送信機１から送信される信号光の等化波形および電気スペクトルは、上述の図２３に示したものと同様となる。
【００４５】
そして、光送信機１からの信号光は、伝送系２の各光伝送路２１1 〜２１m および各光増幅器２２1 〜２２m-1 を順次通過して、光受信機３1 の入力端に到達する。この際、同期偏波スクランブルされた信号光は、位相変調によるカー効果や伝送系２の偏光依存性損失などの影響を受ける。伝送後の信号光の等化波形および電気スペクトルは、上述の図２４に示したものと同様である。
【００４６】
光受信機３1 に到達した信号光は、受光器３１で電気信号に変換され、増幅器３２で増幅される。増幅器３２から出力される信号は、偏波ＣＬＫ周波数ｆｏおよびその近傍に大きなパワーを有するものとなる。
次に、このような信号が帯域阻止フィルタ３５に入力すると、偏波ＣＬＫ周波数ｆｏおよびその近傍の成分は帯域阻止フィルタ３５を殆ど通過できずに、それ以外の周波数成分が等化フィルタ３３に伝達される。そして、等化フィルタ３３では、伝送データの識別に不要な高周波成分が除去される。
【００４７】
図４には、帯域阻止フィルタ３５を介して等化フィルタ３３から出力された信号の波形および電気スペクトルの一例を示す。
図４(a) の波形では、発光側の偏波ＣＬＫ周波数ｆｏ成分の重畳が殆どなくなり、略上下対称の波形となっている。また、図４(b) の電気スペクトルでは、偏波ＣＬＫ周波数ｆｏ成分のパワーが大幅に減少している。上述の図２５(b) に示した電気スペクトルと比較すると、帯域阻止フィルタ３５を挿入したことによって、偏波ＣＬＫ周波数ｆｏ成分のパワーが約２５dB（約３００分の１）に減衰したことがわかる。
【００４８】
そして、等化フィルタ３３から出力された信号が識別回路３４に送られ、この信号に基づいてクロック信号の再生および受信信号の識別処理等が行われる。
このように第１の実施形態によれば、光受信機３1 に帯域阻止フィルタ３５を設けたことによって、偏波ＣＬＫ周波数ｆｏおよびその近傍の成分だけを確実に低減できるため、同期偏波スクランブルを行なって信号光を伝送した場合の受信特性の劣化を防止することができる。
【００４９】
次に、本発明の第２の実施形態について説明する。
図５は、第２の実施形態の同期偏波スクランブラを用いた光通信システムの構成を示すブロック図である。ただし、第１の実施形態の構成と同じ部分には同一の符号を付してその説明を省略し、以下同様とする。
図５において、本実施形態の光通信システムは、第１の実施形態で光受信機３1 に設けた帯域阻止フィルタ３５に代えて、それと同じ位置に低域通過フィルタ（ＬＰＦ；low-pass filter ）３６を備えて構成される。これ以外の構成は、第１の実施形態の構成と同一である。
【００５０】
低域通過フィルタ３６は、偏波ＣＬＫ周波数ｆｏを含む高周波数成分を遮断する電気フィルタである。図６に、低域通過フィルタ３６の透過（反射）特性の一例を示す。遮断する周波数成分の減衰量は、受信特性に影響を与えないレベルまで偏波ＣＬＫ周波数ｆｏ成分を低減させるため、約３dB以上とするのが望ましい。また、この低域通過フィルタ３６は、前述の図３に示した帯域阻止フィルタ３５の場合と同様に、遅延特性に優れたものとする。低域通過フィルタ３６の具体的な構成としては、例えば、バターワース型フィルタやチェビシェフ型フィルタなどが好適である。
【００５１】
このように第２の実施形態では、光受信機３2 に低域通過フィルタ３６を設けても、偏波ＣＬＫ周波数ｆｏおよびその近傍の成分を十分に低減でき、第１の実施形態の効果と同様に、同期偏波スクランブルを行なって信号光を伝送した場合の受信特性の劣化を防止することができる。
なお、第１、２の実施形態では、帯域阻止フィルタ３５または低域通過フィルタ３６を増幅器３２と等化フィルタ３３の間に配置するようにしたが、これらのフィルタは、受光器３１と識別回路３４の間の適宜な位置に設けることができる。
【００５２】
次に、本発明の第３の実施形態について説明する。
図７は、第３の実施形態の同期偏波スクランブラを用いた光通信システムの構成を示すブロック図である。
図７において、本実施形態の光通信システムは、第１の実施形態で光受信機３1 に設けた帯域阻止フィルタ３５に代えて、受光器３１の前段に光低減フィルタ（ＯｐＦ）３７を備えて構成される。これ以外の構成は、第１の実施形態の構成と同一である。
【００５３】
光低減フィルタ３７は、光伝送路２１m の終端と受光器３１の入力端との間に接続され、伝送系２からの信号光に含まれる偏波ＣＬＫ周波数ｆｏ成分の影響を受けた光を除去する。光受信機３3 に到達する同期偏波スクランブルされた信号光は、図８のスペクトル例に示すように、スペクトル密度が信号光の周波数ｆｓ（＝光速／波長）を中心に最大となるピークを有するとともに、その周波数ｆｓに対して光周波数ｆｓ−ｆｏおよびｆｓ＋ｆｏをそれぞれ中心としたスペクトル密度の高い部分が存在する。光低減フィルタ３７は、上記のようなスペクトル状態の信号光を入力して、光周波数ｆｓを中心とする光のみを透過し、光周波数ｆｓ−ｆｏおよびｆｓ＋ｆｏをそれぞれ中心とする光を遮断する。
【００５４】
図９は、そのような光低減フィルタ３７の透過特性の一例を示す。
図９に示すように、光低減フィルタ３７の透過率は、光周波数ｆｓを中心とした十分に狭い帯域のみが高く、それ以外の周波数域が低くなるようにする。具体的には、透過率の高いバンド幅が、偏波ＣＬＫ周波数ｆｏの２倍よりも狭くなるように設定することが好ましい。
【００５５】
このような構成の光通信システムの動作については、第１、２の実施形態の動作と同様に、同期偏波スクランブルされた信号光が光送信機１から伝送系２を介して光受信機３3 まで伝送されると、その信号光が光低減フィルタ３７に入力されることで、光周波数ｆｓおよびその近傍の信号光成分のみが光低減フィルタ３７を通過して受光器３１に送られ、それ以外の信号光成分が光低減フィルタ３７で遮断される。これにより偏波ＣＬＫ周波数ｆｏ成分の影響を受けた信号光成分が、受光器３１以降では殆ど処理されなくなるため、識別回路３４に入力される信号は、上述の図４に示したものと同様に、偏波ＣＬＫ周波数ｆｏおよびその近傍の成分が十分に低減された信号となる。
【００５６】
上記のように第３の実施形態によれば、信号光の周波数ｆｓを中心とした十分に狭いバンド幅の信号光のみを透過する光低減フィルタ３７を光受信機３3 の入力端に設けることによっても、同期偏波スクランブルを行なって信号光を伝送する際の受信特性の劣化を防止することができる。
次に、本発明の第４の実施形態について説明する。
【００５７】
第４の実施形態は、光低減フィルタ３７の透過帯域の中心周波数が信号光の周波数ｆｓの変動に追従する機能を第３の実施形態の構成に付加したものである。
図１０に、第４の実施形態の光受信機の構成を示す。
図１０において、本光受信機３4 の構成は、増幅器３２と等化フィルタ３３の間に電気分岐回路３８が挿入され、この電気分岐回路３８で分岐された信号を基に光低減フィルタ３７’の透過帯域の中心周波数を制御する光低減フィルタ制御回路３９が設けられる。また、光低減フィルタ３７’は、その透過帯域の中心周波数が可変なものを使用する。ここでは電気分岐回路３８および光低減フィルタ制御回路３９が光低減フィルタ制御部として機能する。
【００５８】
一般に、伝送系２を伝送されてきた信号光は、その周波数（波長）が僅かに変動することが考えられる。また、光低減フィルタの透過中心周波数も、温度依存性等を有するために変動する。光低減フィルタのバンド幅は前述したように非常に狭いため、信号光の周波数ｆｓや光低減フィルタの透過中心周波数が変化した場合、偏波ＣＬＫ周波数ｆｏの影響を受けた光周波数ｆｓ−ｆｏまたはｆｓ＋ｆｏが光低減フィルタを透過してしまうことがある。
【００５９】
このため本実施形態では、光低減フィルタ３７’の透過中心周波数を可変にするとともに、その光低減フィルタ３７’を透過し、受光器３１および増幅器３２を通過した信号の一部を電気分岐回路３８で取り出して、その信号を基に光低減フィルタ制御回路３９で信号光の周波数ｆｓを求めて光低減フィルタ３７’にフィードバックする。これにより、光低減フィルタ３７’の透過中心周波数が信号光の周波数ｆｓの変化に追従するように制御されて、信号光の周波数ｆｓのみが安定して受光器３１に送られるようになる。
【００６０】
このように第４の実施形態では、光低減フィルタ３７’の透過中心周波数が信号光の周波数ｆｓを追従する機能を持つようにしたことで、偏波ＣＬＫ周波数ｆｏ成分の影響を受けた信号光成分を光低減フィルタ３７’で確実に低減できる。
次に、本発明の第５の実施形態について説明する。
第５の実施形態では、光低減フィルタ３７の透過帯域の中心周波数が信号光の周波数ｆｓの変動に追従するようにした他の構成例を説明する。
【００６１】
図１１は、本実施形態の光受信機の構成を示すブロック図である。
図１１に示す光受信機３5 ’の構成は、透過帯域の中心周波数が可変な光低減フィルタ３７’の前段に設けられた光サーキュレータ４０と、光サーキュレータ４０で取り出された信号光を光周波数に応じて２分波する光分波器４１と、分波された各信号光を電気信号にそれぞれ変換する受光器４２Ａ，４２Ｂと、各受光器４２Ａ，４２Ｂからの電気信号を比較する比較器４３と、比較器４３からの結果を基に光低減フィルタ３７’の透過中心周波数を制御する制御回路４４と、を備える。ここでは、これらの各構成が光低減フィルタ制御部として機能する。上記以外の光受信機３5 ’の構成は、第３の実施形態の光受信機３3 と同様である。
【００６２】
光サーキュレータ４０は、図１２に示すように、３つの端子Ｐ１，Ｐ２，Ｐ３を有する。端子Ｐ１は光伝送路２１m の終端に接続され、端子Ｐ２は光低減フィルタ３７’の入力端子に接続され、端子Ｐ３は光分波器４１の入力端子に接続される。各端子Ｐ１〜Ｐ３間では、端子Ｐ１から端子Ｐ２への方向および端子Ｐ２から端子Ｐ３への方向にのみ信号光が伝達され、他の方向へは信号が伝達されない。
【００６３】
光分波器４１は、図１３の透過特性に示すように、光サーキュレータ４０の端子Ｐ３からの信号光のうち、光周波数がｆｓよりも高い成分を第１出力光として受光器４２Ａに送り、光周波数がｆｓよりも低い成分を第２出力光として受光器４２Ｂに送る。
このような構成の光受信機３5 ’では、伝送系２からの信号光が光サーキュレータ４０の端子Ｐ１に入力して端子Ｐ２から出力される。そして、端子Ｐ２から出力した信号光は、光低減フィルタ３７’に入力して、光周波数ｆｓおよびその近傍の信号光成分のみが光低減フィルタ３７’を通過し、それ以外の信号光成分は遮断される。遮断される信号光成分は、光低減フィルタ３７’で反射され、光サーキュレータ４０の端子Ｐ２に戻されて端子Ｐ３から出力される。したがって、光サーキュレータ４０の端子Ｐ３からは、受信した信号光に含まれる光周波数ｆｓおよびその近傍以外の信号光成分が抽出される。
【００６４】
抽出された信号光は、その光周波数に応じて光分波器４１で２分波される。伝送系２からの信号光の周波数ｆｓと光低減フィルタ３７’の透過中心周波数とが略一致している場合には、光周波数ｆｓ＋ｆｏの信号光成分が光分波器４１の第１出力光として受光器４２Ａに送られ、光周波数ｆｓ−ｆｏの信号光成分が光分波器４１の第１出力光として受光器４２Ｂに送られる。
【００６５】
一方、伝送系２からの信号光の周波数ｆｓが低周波側（高周波側）にずれた場合には、光分波器４１の第１出力光（第２出力光）が小さくなる。このため、伝送系２からの信号光の周波数ｆｓと光低減フィルタ３７’の透過中心周波数とにずれが生じると、各受光器４２Ａ，４２Ｂから出力される電気信号のレベルが変化する。したがって、各受光器４２Ａ，４２Ｂからの信号レベルを比較器４３で比較することにより、光低減フィルタ３７’の透過中心周波数のずれ量が判断でき、その結果を制御回路４４に伝えることで光低減フィルタ３７’の透過中心周波数を信号光の周波数ｆｓに追従させる制御が可能となる。
【００６６】
このように第５の実施形態の構成によっても、第４の実施形態の場合と同様に、偏波ＣＬＫ周波数ｆｏ成分の影響を受けた信号光成分を光低減フィルタ３７’で確実に低減できる。
次に、本発明の第６の実施形態について説明する。
図１４は、第６の実施形態の同期偏波スクランブラを用いた光通信システムの構成を示すブロック図である。
【００６７】
図１４において、本光通信システムは、１つの光受信機３6 内に帯域阻止フィルタ３５および光低減フィルタ３７をそれぞれ備えたことを特徴とする。帯域阻止フィルタ３５および光低減フィルタ３７の配置は、第１および第３の実施形態での配置と同じであり、上記以外の各構成は、第１または第３の実施形態の構成と同様である。
【００６８】
１つの光受信機３6 内に帯域阻止フィルタ３５および光低減フィルタ３７を設けたことで、まず、伝送系２からの信号光に含まれる偏波ＣＬＫ周波数ｆｏ成分の影響を受けた信号光成分が光低減フィルタ３７で低減され、さらに、光受光器３１および増幅器３２を通過した電気信号が偏波ＣＬＫ周波数ｆｏ成分を含む場合には、その成分が帯域阻止フィルタ３５で低減される。このため、同期偏波スクランブルを行なって信号光を伝送する際の受信特性の劣化がより確実に防止できるようになる。
【００６９】
なお、上記第６の実施形態では、帯域阻止フィルタ３５および光低減フィルタ３７を光受信機３6 内に設けるようにしたが、これに限らず、帯域阻止フィルタ３５に代えて第２の実施形態で用いた低域通過フィルタ３６を使用してもよい。また、透過中心周波数が固定の光低減フィルタ３７に代えて、第４、５の実施形態で用いた透過中心周波数可変の光低減フィルタ３７’を使用し、その透過中心周波数が信号光の周波数ｆｓに追従する機能を備えるようにしても構わない。
【００７０】
次に、本発明の第７の実施形態について説明する。
一般の光通信システムでは、光伝送路や光増幅器で構成される伝送系の状態を監視することは重要であり、特に、伝送系の偏波依存性に関する情報を監視することの必要性が高まっている。そこで、第７の実施形態では、光受信機側において、受信信号に含まれる偏波ＣＬＫ周波数成分ｆｏを抽出し、その偏波ＣＬＫ周波数成分ｆｏに基づいて伝送系における偏波状態を監視する場合を考える。
【００７１】
図１５は、第７の実施形態の同期偏波スクランブラを用いた光通信システムの構成を示すブロック図である。
図１５において、本光通信システムは、光受信機３7 が増幅器３２と帯域阻止フィルタ３５の間に信号抽出部としての、例えば、電気サーキュレータ４５等を備え、この電気サーキュレータ４５によって抽出される信号を監視信号とするものである。上記以外の構成は、第１の実施形態の構成と同様である。
【００７２】
電気サーキュレータ４５は、上述の図１２に示した光サーキュレータ４０と同様に３つの端子Ｐ１〜Ｐ３を有し、端子Ｐ１は増幅器３２の出力端子に接続され、端子Ｐ２は帯域阻止フィルタ３５の入力端子に接続され、端子Ｐ３は監視信号の出力端子として使用される。各端子Ｐ１〜Ｐ３間では、端子Ｐ１から端子Ｐ２への方向および端子Ｐ２から端子Ｐ３への方向にのみ信号が伝達され、他の方向へは信号が伝達されない。
【００７３】
このような電気サーキュレータ４５を備えた光受信機３7 では、伝送系２からの信号光が受光器３１および増幅器３２を通って電気サーキュレータ４５の端子Ｐ１に入力して端子Ｐ２から出力される。そして、端子Ｐ２から出力した信号は、帯域阻止フィルタ３５に入力して、偏波ＣＬＫ周波数ｆｏおよびその近傍の成分のみが遮断され、その他の信号成分は等化フィルタ３３に送られる。遮断される信号成分は、帯域阻止フィルタ３５で反射され、電気サーキュレータ４５の端子Ｐ２に戻されて端子Ｐ３から出力される。したがって、電気サーキュレータ４５の端子Ｐ３からは、受信信号に含まれる偏波ＣＬＫ周波数ｆｏおよびその近傍の成分が抽出される。
【００７４】
この抽出信号は、伝送系２の各光伝送路２１1 〜２１m および各光増幅器２２1 〜２２m-1 の偏波依存性を反映した情報を含んだものであるため、例えば、抽出された偏波ＣＬＫ周波数ｆｏを時間領域あるいは周波数領域等において分析等することによって、伝送系２における偏波状態の監視が可能となる。ここでは、この抽出信号を監視信号とする。
【００７５】
このように第７の実施形態では、光受信機３7 に電気サーキュレータ４５を設け、帯域阻止フィルタ３５で反射された信号を監視信号として抽出することによって、伝送系２における偏波状態を簡略な構成により監視可能な光通信システムが提供される。伝送系２における偏波状態の監視は偏波スクランブルを行なわないシステムなどでは困難であり、本実施形態のように同期偏波スクランブルを行なうシステムにおいて簡易な方法で偏波状態を監視できるようにすることは特に有効である。
【００７６】
なお、上記第７の実施形態では、光受信機に帯域阻止フィルタを用いる場合（第１の実施形態と同様）について、伝送系２における偏波状態を監視する場合を説明したが、本発明はこれに限られるものではない。光受信機に低域通過フィルタを用いる場合（第２の実施形態と同様）については、図１６に示すように、例えば、増幅器３２と低域通過フィルタ３６の間に電気分岐回路４６を設け、その電気分岐回路４６で分岐された信号を、偏波ＣＬＫ周波数ｆｏおよびその近傍の成分のみを通過させる帯域通過フィルタ（ＢＰＦ;band pass filter ）４７に通して監視信号を抽出する構成とする。電気分岐回路４６で分岐された信号から監視信号を抽出する電気フィルタとしては、帯域通過フィルタ４７以外にも、例えば、偏波ＣＬＫ周波数ｆｏを含み、それよりも高い周波数を通過させる高域通過フィルタ（high-pass filter）等を用いてもよい。
【００７７】
また、光受信機に光低減フィルタを用いる場合（第３の実施形態と同様）については、図１７に示すように、例えば、光伝送路２１m の終端と光低減フィルタ３７の間に光サーキュレータ４８（上述の光サーキュレータ４０と同等）を設け、光低減フィルタ３７で通過が阻止され反射された信号光成分を光サーキュレータ４８で抽出し、さらに、その抽出された信号光成分を受光器４９で電気信号に変換して監視信号とする。この場合、第４、５の実施形態と同様にして、光低減フィルタの透過中心周波数を信号光の周波数ｆｓに追従させる機能を備えるようにしてもよい。
【００７８】
次に、第８の実施形態について説明する。
第８の実施形態では、光受信機で抽出した監視信号を、受信信号の識別処理に用いるクロック信号として利用する場合を説明する。
図１８は、第８の実施形態の光受信機の構成を示すブロック図である。
図１８の光受信機３8 は、上述の図１５に示した光受信機３7 について、電気サーキュレータ４０で抽出した監視信号の一部を所要のレベルまで増幅するクロック生成部としての増幅器５０を設け、該増幅器５０の出力をクロック信号として識別回路３４に送る構成とする。
【００７９】
監視信号として抽出した偏波ＣＬＫ周波数ｆｏ成分の信号は、信号光の伝送速度と同じ繰り返し周波数であるため、伝送データを識別する際に用いるクロック信号として好適である。これまでは、受信信号を基にタイミング再生を行なってクロック信号を得ていた。しかし、抽出した偏波ＣＬＫ周波数ｆｏ成分の信号をクロック信号に用いれば、上記タイミング再生処理を行なうことなく正確なクロックが得られるので、識別回路３４の構成を簡略にできるとともに、識別精度の向上を図ることも可能である。
【００８０】
次に、第９の実施形態について説明する。
第９の実施形態では、波長多重光通信システムに本発明を適用した場合を説明する。
図１９に、同期偏波スクランブラを用いた波長多重光通信システムの構成を示す。
【００８１】
図１９において、本波長多重光通信システムは、同期偏波スクランブルさせたｎ個の波長の信号光を波長多重して出力する光送信機１’と、光送信機１’からの信号光を伝送する伝送系２’と、伝送系２’からの信号光を受信して各波長毎に識別等の処理を行なう光受信機３’と、を備えて構成される。
光送信機１’は、各波長に対応した、信号光発生器１１1 〜１１n および偏波スクランブラ１２1 〜１２n と、各偏波スクランブラ１２1 〜１２n から出力される信号光を合波して波長多重信号光を伝送系２’に送る光合波器１３と、を含んで構成される。各信号光発生器１１1 〜１１n および各偏波スクランブラ１２1 〜１２n は、第１の実施形態等で用いたものと同様である。
【００８２】
伝送系２’は、順次接続された光伝送路２１1 〜２１q および光増幅器２２1 〜２２q を備えるとともに、ここでは、光伝送路２１p の後段に利得等化器２３を設け、光伝送路２１q の後段に波長分散補償器２４を設けたものである。利得等化器２３および波長分散補償器２４は、本システムにおける雑音を除去するために必要に応じて挿入される。
【００８３】
光受信機３’は、伝送系２’からの波長多重信号光を波長毎に分波する光分波器５１と、各波長に対応した、受光器３１1 〜３１n 、増幅器３２1 〜３２n 、帯域阻止フィルタ３５1 〜３５n 、等化フィルタ３３1 〜３３n および識別回路３４1 〜３４n と、を備えて構成される。光分波器５１を除いた各波長毎の構成は、第１の実施形態の構成と同様である。
【００８４】
このような波長多重光通信システムでは、伝送データＩＮ1 〜ＩＮn に従って変調された各波長の信号光が、各偏波スクランブラ１２1 〜１２n で同期偏波スクランブルされた後、光合波器１３で合波されて伝送系２’に送信される。伝送系２’を伝わり光受信機３’に到達した波長多重信号光は、光分波器５１で分波されて各波長毎に受信処理される。各受信処理は、第１の実施形態の場合と同様であり、受信信号に含まれる偏波ＣＬＫ周波数ｆｏおよびその近傍の成分が帯域阻止フィルタ３５1 〜３５n で低減された後に識別等の処理が行われる。
【００８５】
このように第９の実施形態によれば、波長多重光通信システムで同期偏波スクランブルを行なう場合においても、光受信機３’について各波長毎に帯域阻止フィルタ３５1 〜３５n を設けることで、受信特性の劣化を防ぐことができる。
なお、上記第９の実施形態では、帯域阻止フィルタ３５を用いた光受信機としたが、本発明はこれに限らず、上述の図１６、１７に示したような構成の光通信システムにも応用することが可能である。
【００８６】
次に、第１０の実施形態について説明する。
一般に、光通信システムでは、光送受信機や中継器等の間で監視制御信号を伝送することによって、伝送系の状態を監視することがよくある。この監視制御信号の伝送は、例えば、伝送データに従って変調された信号光を低周波の信号で僅かに強度変調させるなどして実現されてきた。第１０の実施形態では、同期偏波スクランブルを行なって信号光を伝送するとき偏波ＣＬＫ周波数成分が受信側で抽出できることに着目して、偏波変調信号に監視制御信号を重畳することにより、光送受信機間で監視制御信号を伝送して伝送系の状態を監視するようにした場合を説明する。
【００８７】
図２０は、第１０の実施形態の同期偏波スクランブラを用いた光通信システムの構成を示すブロック図である。
図２０において、本光通信システムが第７の実施形態の構成（図１５参照）と異なる部分は、光送信機１”が、監視制御信号重畳部としての変調器１４を備え、光受信機３”が監視制御信号復調部としての復調器５１を備えた部分である。上記以外の光送信機１”および光受信機３”の構成並びに伝送系２の構成は、第７の実施形態の場合と同様である。
【００８８】
変調器１４は、偏波ＣＬＫ周波数ｆｏの偏波変調信号を入力し、その偏波変調信号の強度、周波数または位相に監視制御信号に従った変調をかけて、偏波スクランブラ１２に出力する。偏波変調信号に施す変調の度合は、偏波スクランブラ１２における同期偏波スクランブルに影響を与えず、光受信機３”で復調可能な程度に設定する。
【００８９】
このような光通信システムでは、光送信機１”において、監視制御信号が重畳された偏波変調信号により同期偏波スクランブルされた信号光が、伝送系２を介して光受信機３”に伝送される。光受信機３”では、第７の実施形態の場合と同様に、伝送系２からの信号光が、受光器３１、増幅器３２および電気サーキュレータ４５を通って帯域阻止フィルタ３５に入力し、偏波ＣＬＫ周波数ｆｏおよびその近傍の成分が帯域阻止フィルタ３５で反射されて、電気サーキュレータ４５の端子Ｐ３から出力される。この抽出した偏波ＣＬＫ周波数ｆｏ成分の信号は、監視制御信号に従って変調されているため、復調器５１を用いて監視制御信号を再生することができる。
【００９０】
このように第１０の実施形態によれば、監視制御信号を重畳させた偏波変調信号により同期偏波スクランブルされた信号光を伝送し、光受信機３”で偏波ＣＬＫ周波数ｆｏ成分の信号を抽出して監視制御信号を復調させることによって、簡便な方式により光送受信機間で監視制御信号を伝送することができる。
なお、上記第１０の実施形態では、光受信機側において帯域阻止フィルタ３５で反射された信号を電気サーキュレータ４５で抽出する構成の光通信システムに適用した場合を説明したが、本発明はこれに限らず、上述の図１６〜１８に示したような構成の光通信システムにも応用することが可能である。
【００９１】
【発明の効果】
以上説明したように本発明によれば、同期偏波スクランブルさせた信号光を伝送する光通信システム及び光受信装置において、光受信装置（手段）に雑音低減部を設けたことによって、偏波変調を行なうことに起因した雑音を発生させる周波数成分のみを低減できるため、同期偏波スクランブルを行なっても良好な受信特性を得ることができる。
【００９２】
また、雑音低減部に光低減フィルタを用いる場合に、光低減フィルタ制御部を設けることで、光低減フィルタのバンド幅の中心周波数が信号光の周波数の変動に追従するようになるため、バンド幅の狭い光低減フィルタであっても確実に雑音成分を低減させることができる。
さらに、信号抽出部を設けたことによって、繰り返し周波数成分の信号を監視信号として取り出すことが可能となり、光伝送手段の偏波依存性を簡略な構成により監視できるようになる
加えて、光送信手段に監視制御信号重畳部を設け、監視制御信号が重畳された偏波変調信号により同期偏波スクランブルされた信号光を伝送し、光受信手段に監視制御信号復調部を設け、抽出した繰り返し周波数成分の信号から監視制御信号を復調するようにしたことで、簡便な方式により光送信手段と光受信手段との間で監視制御信号が伝送可能な光通信システムが提供できる。
【図面の簡単な説明】
【図１】本発明の第１の実施形態の構成を示すブロック図である。
【図２】同上第１の実施形態の帯域阻止フィルタの透過（反射）特性を示す図である。
【図３】同上第１の実施形態の帯域阻止フィルタの遅延特性を示す図である。
【図４】同上第１の実施形態における帯域阻止フィルタおよび等化フィルタ通過後の信号波形および電気スペクトルを示す図である。
【図５】本発明の第２の実施形態の構成を示すブロック図である。
【図６】同上第２の実施形態の低域通過フィルタの透過（反射）特性を示す図である。
【図７】本発明の第３の実施形態の構成を示すブロック図である。
【図８】同上第３の実施形態における受信信号光の光スペクトルを示す図である。
【図９】同上第３の実施形態の光低減フィルタの透過特性を示す図である。
【図１０】本発明の第４の実施形態における光受信機の構成を示すブロック図である。
【図１１】本発明の第５の実施形態における光受信機の構成を示すブロック図である。
【図１２】同上第５の実施形態に用いる光サーキュレータの端子構成を示す図である。
【図１３】同上第５の実施形態に用いる光分波器の透過特性を示す図である。
【図１４】本発明の第６の実施形態の構成を示すブロック図である。
【図１５】本発明の第７の実施形態の構成を示すブロック図である。
【図１６】監視信号を抽出する他の構成を示す第１のブロック図である。
【図１７】監視信号を抽出する他の構成を示す第２のブロック図である。
【図１８】本発明の第８の実施形態における光受信機の構成を示すブロック図である。
【図１９】本発明の第９の実施形態の構成を示すブロック図である。
【図２０】本発明の第１０の実施形態の構成を示すブロック図である。
【図２１】従来の偏波スクランブラを用いた光通信システムの構成を示すブロック図である。
【図２２】信号光の強度変調と偏波スクランブルを同期して行なう従来の光送信機の構成例を示すブロック図である。
【図２３】同期偏波スクランブルされた信号光の光送信機出力端における等化波形および電気スペクトルを示す図である。
【図２４】同期偏波スクランブルされた信号光の光受信機入力端における等化波形および電気スペクトルを示す図である。
【図２５】同期偏波スクランブルされた信号光の等化フィルタ通過後における信号波形および電気スペクトルを示す図である。
【符号の説明】
１，１’，１”…光送信機
２，２’…伝送系
３1 〜３8 ，３’…光受信機
１１，１１1 〜１１n …信号光発生器（Ｅ／Ｏ）
１２，１２1 〜１２n …偏波スクランブラ（ＰＳ）
１３…光合波器
１４…変調器
２１1 〜２１q …光伝送路
２２1 〜２１q …光増幅器
２３…利得等化器
２４…波長分散補償器
３１，３１1 〜３１n ，４２Ａ，４２Ｂ，４９…受光器（Ｏ／Ｅ）
３２，３２1 〜３２n ，５０…増幅器
３３，３３1 〜３３n …等化フィルタ（ＥＱ）
３４，３４1 〜３４n …識別回路（ＤＥＣ）
３５，３５1 〜３５n …帯域阻止フィルタ（ＢＲＦ）
３６…低域通過フィルタ（ＬＰＦ）
３７，３７’…光低減フィルタ
３８，４６…電気分岐回路
３９，４４…制御回路
４０，４８…光サーキュレータ
４１…光分波器
４３…比較器
４５…電気サーキュレータ
４７…帯域通過フィルタ（ＢＰＦ）
５１…復調器
ｆｏ…偏波ＣＬＫ周波数
ｆｓ…信号光周波数
【図１】
0003939003.tif 000003
【図２】
0003939003.tif 000004
【図３】
0003939003.tif 000005
【図４】
0003939003.tif 000006
【図５】
0003939003.tif 000007
【図６】
0003939003.tif 000008
【図７】
0003939003.tif 000009
【図８】
0003939003.tif 000010
【図９】
0003939003.tif 000011
【図１０】
0003939003.tif 000012
【図１１】
0003939003.tif 000013
【図１２】
0003939003.tif 000014
【図１３】
0003939003.tif 000015
【図１４】
0003939003.tif 000016
【図１５】
0003939003.tif 000017
【図１６】
0003939003.tif 000018
【図１７】
0003939003.tif 000019
【図１８】
0003939003.tif 000020
【図１９】
0003939003.tif 000021
【図２０】
0003939003.tif 000022
【図２１】
0003939003.tif 000023
【図２２】
0003939003.tif 000024
【図２３】
0003939003.tif 000025
【図２４】
0003939003.tif 000026
【図２５】
0003939003.tif 000027